【手続補正書】
【提出日】平成16年12月7日(2004.12.7)
【手続補正１】
【補正対象書類名】明細書
【補正対象項目名】発明の名称
【補正方法】変更
【補正の内容】
【発明の名称】画像送信装置、画像受信装置及び制御方法
【手続補正２】
【補正対象書類名】明細書
【補正対象項目名】特許請求の範囲
【補正方法】変更
【補正の内容】
【特許請求の範囲】
【請求項１】
１画面分の圧縮画像データに画面間の順番を示す番号情報と画面の属性を示す属性情報とを設定する設定手段と、
前記圧縮画像データと、前記圧縮画像データに設定された前記番号情報及び前記属性情報とを含むパケットを送信する送信手段とを有することを特徴とする画像送信装置。
【請求項２】
前記属性情報は、前記画像情報が奇数フィールドか偶数フィールドかを示すことを特徴とする請求項１に記載の画像送信装置。
【請求項３】
前記送信手段は、前記パケットを１つ以上のデータ列に分割し、前記１つ以上のデータ列を１つ以上の異なる拡散符号を用いて変調すること特徴とする請求項１又は２に記載の画像送信装置。
【請求項４】
前記送信手段は、スペクトラム拡散通信を用いて前記パケットを送信することを特徴とする請求項１から３の何れかに記載の画像送信装置。
【請求項５】
画像送信装置の制御方法であって、
１画面分の圧縮画像データに画面間の順番を示す番号情報と画面の属性を示す属性情報とを設定する設定工程と、
前記圧縮画像データと、前記圧縮画像データに設定された前記番号情報及び前記属性情報とを含むパケットを送信する送信工程とを有することを特徴とする制御方法。
【請求項６】
前記属性情報は、前記画像情報が奇数フィールドか偶数フィールドかを示すことを特徴とする請求項５に記載の制御方法。
【請求項７】
前記送信工程は、前記パケットを１つ以上のデータ列に分割し、前記１つ以上のデータ列を１つ以上の異なる拡散符号を用いて変調すること特徴とする請求項５又は６に記載の制御方法。
【請求項８】
前記送信工程は、スペクトラム拡散通信を用いて前記パケットを送信することを特徴とする請求項５から７の何れかに記載の制御方法。
【請求項９】
１画面分の圧縮画像データと、前記圧縮画像データの画面間の順番を示す番号情報と、前記圧縮画像データの画面の属性を示す属性情報とを含むパケットを受信する受信手段と、
前記圧縮画像データを記憶する記憶手段と、
前記番号情報を用いて受信状態を判別する判別手段とを有し、
前記判別手段の判別結果及び前記属性情報に応じて所定の属性の圧縮画像データを前記記憶手段から読み出すことを特徴とする画像受信装置。
【請求項１０】
受信状態が良好であると判別した場合は、異なる属性の圧縮画像データを交互に読み出すことを特徴とする請求項９に記載の画像受信装置。
【請求項１１】
受信状態が不良であると判別された場合は、受信状態が不良であると判別される前に前記記憶手段から読み出された圧縮画像データと同じ属性の圧縮画像データを読み出すことを特徴とする請求項９又は１０に記載の画像受信装置。
【請求項１２】
前記受信手段は、スペクトラム拡散通信を用いて前記パケットを受信することを特徴とする請求項９から１１の何れかに記載の画像受信装置。
【請求項１３】
画像受信装置の制御方法であって、
１画面分の圧縮画像データと、前記圧縮画像データの画面間の順番を示す番号情報と、前記圧縮画像データの画面の属性を示す属性情報とを含むパケットを受信する受信工程と、
前記圧縮画像データを記憶手段に書き込む書き込み工程と、
前記番号情報を用いて受信状態を判別する判別手段と、
前記判別工程の判別結果及び前記属性情報に応じて所定の属性の圧縮画像データを前記記憶手段から読み出す読み出し工程とを有することを特徴とする制御方法。
【請求項１４】
受信状態が良好であると判別した場合は、異なる属性の圧縮画像データを交互に読み出すことを特徴とする請求項１３に記載の制御方法。
【請求項１５】
受信状態が不良であると判別された場合は、受信状態が不良であると判別される前に前記記憶手段から読み出された圧縮画像データと同じ属性の圧縮画像データを読み出すことを特徴とする請求項１３又は１４に記載の制御方法。
【請求項１６】
前記受信工程は、スペクトラム拡散通信を用いて前記パケットを受信することを特徴とする請求項１３から１５の何れかに記載の制御方法。
【手続補正３】
【補正対象書類名】明細書
【補正対象項目名】０００１
【補正方法】変更
【補正の内容】
【０００１】
【発明の属する技術分野】
本発明は、画像を送信する画像送信装置、画像を受信する画像受信装置及びそれらの制御方法に関する。
【手続補正４】
【補正対象書類名】明細書
【補正対象項目名】００１４
【補正方法】変更
【補正の内容】
【００１４】
本発明は、上述のような問題を解決することができる画像送信装置、画像受信装置及びそれらの制御方法を提供することを目的とする。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
【課題を解決するための手段】
本発明に係る画像送信装置は、１画面分の圧縮画像データに画面間の順番を示す番号情報と画面の属性を示す属性情報とを設定する設定手段と、前記圧縮画像データと、前記圧縮画像データに設定された前記番号情報及び前記属性情報とを含むパケットを送信する送信手段とを有することを特徴とする。
【手続補正７】
【補正対象書類名】明細書
【補正対象項目名】００１７
【補正方法】変更
【補正の内容】
【００１７】
本発明に係る制御方法は、画像送信装置の制御方法であって、１画面分の圧縮画像データに画面間の順番を示す番号情報と画面の属性を示す属性情報とを設定する設定工程と、前記圧縮画像データと、前記圧縮画像データに設定された前記番号情報及び前記属性情報とを含むパケットを送信する送信工程とを有することを特徴とする。
【手続補正８】
【補正対象書類名】明細書
【補正対象項目名】００１８
【補正方法】変更
【補正の内容】
【００１８】
本発明に係る画像受信装置は、１画面分の圧縮画像データと、前記圧縮画像データの画面間の順番を示す番号情報と、前記圧縮画像データの画面の属性を示す属性情報とを含むパケットを受信する受信手段と、前記圧縮画像データを記憶する記憶手段と、前記番号情報を用いて受信状態を判別する判別手段とを有し、前記判別手段の判別結果及び前記属性情報に応じて所定の属性の圧縮画像データを前記記憶手段から読み出すことを特徴とする。
【手続補正９】
【補正対象書類名】明細書
【補正対象項目名】００１９
【補正方法】変更
【補正の内容】
【００１９】
本発明に係る他の制御方法は、画像受信装置の制御方法であって、１画面分の圧縮画像データと、前記圧縮画像データの画面間の順番を示す番号情報と、前記圧縮画像データの画面の属性を示す属性情報とを含むパケットを受信する受信工程と、前記圧縮画像データを記憶手段に書き込む書き込み工程と、前記番号情報を用いて受信状態を判別する判別手段と、前記判別工程の判別結果及び前記属性情報に応じて所定の属性の圧縮画像データを前記記憶手段から読み出す読み出し工程とを有することを特徴とする。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】変更
【補正の内容】
【００２３】
【発明の実施の形態】
以下、本発明の実施例について図面を用いて詳細に説明する。
【手続補正１４】
【補正対象書類名】明細書
【補正対象項目名】００８３
【補正方法】削除
【補正の内容】
【手続補正１５】
【補正対象書類名】明細書
【補正対象項目名】００８４
【補正方法】削除
【補正の内容】